(57)【要約】      （修正有）【課題】プレーヤーがホールポストを移動するにあたってスタートマットを持ち運ぶ場合、ボールスタンドがスタートマットから抜け落ちることを防ぐボールスタンドを提供する。【解決手段】グラウンド・ゴルフ又はパークゴルフでボールを置くボールスタンドであって、円板状の基板１１と、基板１１上に一体的に形成され、下部から上部へ向かって直径が大きくされた筒状の起立部１２と、起立部１２の上部に円周方向に等間隔に設けられたＶ字状のスリット１３−３と、を備え、起立部１２の上側厚さＺ１は起立部１２の下側厚さＺ２より小さくされている。【選択図】図７
0003211952.tif 000002
【実用新案登録請求の範囲】
【請求項１】
グラウンド・ゴルフ又はパークゴルフでボールを置くのに用いられるボールスタンドにおいて、
板状の基板と、該基板上に一体的に形成され、下部から上部へ向かって直径が大きくされた筒状の起立部と、
前記起立部の上部に円周方向に設けられたスリットと、
を備えたボールスタンド。
【請求項２】
前記スリットが、Ｖ字状である請求項１に記載のボールスタンド。
【請求項３】
前記スリットのＶ字状の先端が丸みを持つように形成された請求項２に記載のボールスタンド。
【請求項４】
前記起立部は、上部と下部とで厚みが異なり、前記上部の厚みである上側厚さは、前記下部の厚みである下側厚さよりも小さくされた請求項１から３のいずれか１項に記載のボールスタンド。
【請求項５】
前記基板が円板状であり、
前記スリットは、前記起立部の上部に円周方向に等間隔に設けられた請求項１から４のいずれか１項に記載のボールスタンド。
【請求項６】
前記起立部の前記上側厚さは前記起立部の前記下側厚さに対して１／３から１／２の厚さとされた請求項４に記載のボールスタンド。
【請求項７】
前記起立部において、前記下側厚さの高さ方向の範囲は、前記起立部の高さの１／２から１／４とされた請求項４に記載のボールスタンド。
【請求項８】
前記スリットの前記起立部の上端での幅は、前記起立部の上側厚さの１．５倍から４倍の大きさとされた請求項１から７のいずれか１項に記載のボールスタンド。
【請求項９】
前記スリットの前記起立部の上端からの深さは、前記起立部の上側厚さの範囲の１／２から３／４とされた請求項１から８のいずれか１項に記載のボールスタンド。
【請求項１０】
前記スリットの下側の先端は、前記起立部の上側厚さの１／２から１／１を半径とする丸味を持っている請求項２に記載のボールスタンド。
【請求項１１】
前記基板の上面で前記起立部の下部との境界に円環状の凹部が設けられている請求項１から１０のいずれか１項に記載のボールスタンド。
【請求項１２】
前記基板の裏面に三つの扇状の凹部が設けられた請求項１から１１のいずれか１項に記載のボールスタンド。
【請求項１３】
前記円環状の凹部の深さは０．５ｍｍ〜２ｍｍとされた請求項１１に記載のボールスタンド。
【請求項１４】
前記ボールスタンドは、エチレンとプロピレンの共重合によって得られる合成ゴムの一種であるＥＰＭまたはＥＰＤＭで一体的に形成された請求項１から１３のいずれか１項に記載のボールスタンド。
【考案の詳細な説明】
【技術分野】
【０００１】
本考案は、広場や公園等で簡便に競技することのできるグラウンド・ゴルフでボールを置くためのボールスタンドに関する。
【背景技術】
【０００２】
近年、ゴルフ競技に類似した手軽なスポーツとして、グラウンド・ゴルフやパークゴルフが注目を集めている。グラウンド・ゴルフは、専用のクラブ、ボール、ホールポスト、スタートマットを使用して、ゴルフのようにボールをクラブで打ち、ホールポストにホールインするまでの打数を数える。パークゴルフは、芝でおおわれたコースで、クラブでボールを打ち、カップインするまでの打数を競い合う。そして、グラウンド・ゴルフやパークゴルフでは、通常のゴルフボールよりも、直径や質量が大きいボールが使用されている。
【０００３】
グラウンド・ゴルフは、クラブによりボールをショットして直径３６ｃｍのホールポストのリング（輪）の中に静止(トマリ)するまでを競うもので、個人も団体もプレイすることができる。そして、グラウンド・ゴルフでは、ホールポストを運動場や広場等にセッテイングしてゲームが行われる。ゲームの開始は、ホールポストをできるだけ少ない打数で回り、総打数が最も少ないプレーヤー（チーム）が勝者となる。
【０００４】
グラウンド・ゴルフは、ゲーム開始時のスタート位置を決めるためスタートマットを用いる。スタートマットにはボールを置くボールスタンドが設置される。スタートマットにボールスタンドを設置しているため打ちやすく、飛距離アップにも効果がある。また、通常、ボールスタンドは取り替え可能となっている。
【０００５】
また、場所によって距離やホールポストの数を自由に設定できる。そして、ルールも簡単なため、どこでも、だれでも手軽に楽しむことができ、規格化されたコースを必要としない。ゴルフのように穴を掘る必要がなく、ホールポストを立てるだけで準備は完了する。したがって、プレーヤーの目的、環境、技能、などに応じて、運動場、河川敷、公園、庭などどこでも、自由にコースを設定することができる。
【０００６】
パークゴルフは、ミニゴルフの一種であり、各ホールの第１打(ティグラウンド上)でティと呼ばれるボールを乗せる台を用いる。ティは、ゴム又は軟質な物、弾性ゴムを使ったラバーティが、一般的であり、ボールスタンドと略同じものが用いられる。
【０００７】
また、地面や芝面の損傷を防止できるようにするため、シート本体の一端側に取り付け孔を形成した補助具を設け、該補助具の取り付け孔をボールスタンドに着脱可能に嵌着したスタートマットが知られ、特許文献１に記載されている。
【先行技術文献】
【特許文献】
【０００８】
【特許文献１】特開２００８−５５０８２公報
【考案の概要】
【考案が解決しようとする課題】
【０００９】
特許文献１に記載のものは、補助具をスタートマットに簡単に取り付けでき、また、損傷した場合は補助具だけを交換すれば良く、着脱も簡単で、持ち運びも便利であるとされている。しかしながら、ボールスタンドに関しては、通常合成ゴム材料で作られ、円板状の基板と該基板上に一体的に形成された筒状の起立部を有している、とされているだけで何らの改良もなされていない。
【００１０】
また、ボールスタンドは、スタートマットの裏面側から起立部を装着孔に挿入して取り付けられ、基板はスタートマットの装着孔に嵌着される。さらに、スタートマットはプレーヤーがホールポストを移動するときに持ち運ぶこととなる。したがって、このときにボールスタンドをスタートマットに嵌着した状態で持ち運ばれるため、抜けやすく、スタートマットから落下することが多かった。また、ボールスタンドは損傷し易いが、使用回数が増えると損傷が進行し、より一層、スタートマットから抜け落ち易くなっていた。
【００１１】
本考案は、係る実情に鑑み、プレーヤーがホールポストを移動するにあたってスタートマットを持ち運ぶ場合、ボールスタンドがから抜け落ちることを防ぐことにある。
【課題を解決するための手段】
【００１２】
上記各課題は、以下の考案で解決することができる。
即ち、本考案のボールスタンドは、グラウンド・ゴルフ又はパークゴルフでボールを置くのに用いられるボールスタンドにおいて、板状の基板と、該基板上に一体的に形成され、下部から上部へ向かって直径が大きくされた筒状の起立部と、前記起立部の上部に円周方向に設けられたスリットと、を備えている。
また、前記スリットは、Ｖ字状であることができ、前記スリットのＶ字状の先端（Ｖ字状スリットの下端）が丸みを持つように形成されることが好ましい。
更に、前記起立部は、上部と下部とで厚みが異なり、前記上部の厚みである上側厚さは、前記下部の厚みである下側厚さよりも小さくされたことが好ましい。
【００１３】
また、前記基板が円板状であり、前記スリットは、前記起立部の上部に円周方向に等間隔に設けられたことが好ましい。
更に、前記起立部の上側厚さは前記起立部の下側厚さに対して１／３から１／２の厚さとされたことが望ましい。
【００１４】
さらに、前記起立部において、下側厚さの高さ方向の範囲は、前記起立部の高さの１／２から１／４とされたことが望ましい。
【００１５】
さらに、前記スリットの前記起立部の上端での幅は、前記起立部の上側厚さの１．５倍から４倍の大きさとされたことが望ましい。
【００１６】
さらに、前記スリットの前記起立部の上端からの深さは、前記起立部の上側厚さの範囲の１／２から３／４とされたことが望ましい。
【００１７】
さらに、前記スリットの下側の先端は、前記起立部の上側厚さの１／２から１／１を半径とする丸味を持っていることが望ましい。
【００１８】
さらに、前記基板の上面で前記起立部の下部との境界に円環状の凹部が設けられていることが望ましい。
【００１９】
さらに、前記基板の裏面に三つの扇状の凹部が設けられたことが望ましい。
【００２０】
さらに、前記円環状の凹部の深さは０．５ｍｍ〜２ｍｍとされたことが望ましい。
【００２１】
さらに、前記ボールスタンドは、エチレンとプロピレンの共重合によって得られる合成ゴムの一種であるＥＰＭまたはＥＰＤＭで一体的に形成されたことが望ましい。
【考案の効果】
【００２２】
本考案によれば、ボールスタンドをスタートマットに嵌着した状態で持ち運んでも、ボールスタンドがスタートマットから抜け落ちることを防ぐことができる。
【図面の簡単な説明】
【００２３】
【図１】本考案の一実施形態に係るボールスタンドをスタートマットに嵌着した状態を示す斜視図である。
【図２】図１の裏面図である。
【図３】本考案の一実施形態に係るボールスタンドの正面図である。
【図４】本考案の一実施形態に係るボールスタンドの背面図である。
【図５】本考案の一実施形態に係るボールスタンドの上面図である。
【図６】本考案の一実施形態に係るボールスタンドの底面図である。
【図７】本考案の一実施形態に係るボールスタンドの断面図である。
【図８】本考案の一実施形態に係るボールスタンドの斜視図である。
【考案を実施するための形態】
【００２４】
図１は、一実施形態に係るボールスタンドをスタートマットに嵌着した状態を示す斜視図、図２は図１を裏側から見た斜視図である。グラウンド・ゴルフは、ゲーム開始時のスタート位置を決めるためスタートマット１を用いる。そして、専用のクラブ（図示せず）、ボール３、スタートマット１を使用して、ボール３をクラブで打ち、ホールポスト（図示せず）にホールイン（入って静止した状態）するまでの打数を数える。
【００２５】
そのため、スタートマット１にはボール３を置くボールスタンド２が設置される。グラウンド・ゴルフは、どこでもできる、準備が簡単、ルールが簡単、時間の制限がない、プレーヤーの数に制限がない、審判員は自分自身、高度な技術がなくてもできる、などの特徴を持っている。
【００２６】
スタートマット１は、通常合成ゴム材料や天然ゴムにＥＰＤＭ（エチレンプロピレンジエンゴム）をブレンドした材料等で略長方形状に作られ、装着孔６を有する。また、表面側にコース番号を表示するための表示部５や打撃方向やネームを示す表示部７等が設けられる。スタートマット１の裏面には滑り止めの凹凸が設けられても良く、スパイク状の底面構造とされて良い。
【００２７】
また、周囲には杭、ピン等の固定具を挿通するための保持孔８が設けられている。これにより、クラブとの接触によるマットズレを軽減している。表示部５には、付属のホールナンバーシール（No.１〜No.８）が貼られ、スタートマット１がホール毎に判りやすくなっている。
【００２８】
スタートマット１の本体上面部は、くぼませた凹型形状としたり、プレート４を設けたり、することにより、クラブとの接触を軽減してスタートマット１の損傷を防ぐようにしている。また、別パーツの大型シートと組み合わせることで、大型マットとしても使用して損傷を防ぐことも行われている。
【００２９】
グラウンド・ゴルフは、スタートマット１を使用して、ゴルフのようにボール３をクラブで打ち、ホールポストにホールインするまでの打数を数えるので、スタートマット１は、コースが識別しやすいカラー、ホールポストの旗のカラーに合わせて、4色カラーでコースを識別しやすくしている。豊富なカラーでコースが識別しやすいスタートマット１とすることで、旗のカラーと一致させればコースが一目瞭然となる。
【００３０】
スタートマット１の素材は、例えばエチレンプロピレンジエンゴムで、色は、イエロー・レッド・ブルー・グリーンが用いられる。スタートマット１のサイズは、高さ１３ｍｍ、長さ２６０ｍｍ、幅１１０ｍｍで重量は３２０ｇであり、ホールナンバーシールが付属している。
【００３１】
ボールスタンド２は、天然ゴムにＥＰＤＭ（エチレンプロピレンジエンゴム）をブレンドした材料で作られ、円板状の基板１１と基板１１上に一体的に形成された筒状の起立部１２を有している。ここで基板１１は、必ずしも平面視形状が円でなくても、四角形でも多角形でもそれ以外の形状でも良い。即ち、基板１１は、円板状でなくても、板状であれば平面視形状は何でも良い。ボールスタンド２は、図２に示すようにスタートマット１の裏面側から起立部１２をスタートマット１の装着孔６に挿入してスタートマット１に取り付けられる。
【００３２】
装着孔６と装着孔９は、２段階の直径を持つ貫通孔であり、スタートマット１の裏面側の孔が大径であり、途中から小径となって表側に貫通している。プレート４は、スタートマット１の上面に接着されており、装着孔６と装着孔９は、プレート４も貫いて形成されている。よって、ボールスタント２は、スタートマット１の裏面側から装着孔６に挿入され、プレート４も貫いて表側に起立部１２を出すことになる。ボールスタンド２は、スタートマット１及びプレート４に着脱可能に嵌着されるので、損傷した場合は容易に交換することができる。
【００３３】
ここで、プレート４は、スタートマット１の上面に接着することもできるが、スタートマット１の上面に凹部を形成してそこに挿入して接着する方が好ましい。凹部に挿入して接着した方が、プレイ時にクラブが当たっても剥がれにくくなるので好ましい。
【００３４】
装着孔６と装着孔９は同じ形状及び大きさであり、ボールスタンド２は、前後に設けられた装着孔６、９のどちらでも使用可能とされる。後ろの装着孔９にボールスタンド２を設けた場合は、前方の芝、地面を削り難くなる。
【００３５】
図３から図８を参照してボールスタンド２の詳細を説明する。図３は、一実施形態に係るボールスタンドの正面図、図４は背面図、図５は上面図、図６は底面図、図７は断面図、図８は斜視図である。ボールスタンド２の基板１１の直径Ｄ２は、スタートマット１の装着孔６又は９に嵌め込まれるので、装着孔６又は９の内径Ｄ３(図２参照)と略等しい。
【００３６】
また、図６に詳細を示すように、基板１１の裏面には扇状の凹部１４−１、１４−２、１４−３が設けられている。扇状の凹部１４−１、１４−２、１４−３は三つに等分割にされる。そして、図７を参照して、その深さＳ１は、基板１１の厚さＴの１／３から１／２０とすることが好ましい。深さＳ１が厚さＴの１／３よりも大きくなると基板１１の強度が不足し、１／２０より小さくなると基板１１の変形性能が不足するからである。このように、この扇状の凹部１４−１、１４−２、１４−３は、ボールスタンド２をスタートマット１に嵌着するときに基板１１の変形を容易化することができる。したがって、ボールスタンド２は、スタートマット１に簡単に取り付けでき、着脱が簡単であるから損傷した場合は交換すればよく、経済的である。
【００３７】
ボールスタンド２の起立部１２は、基板１１上に一体的で筒状に形成され、下部（基板１１側）から上部へ向かって広がって、つまり、起立部１２の上部の直径をＤ１、起立部１２の下部の直径をｄとして、Ｄ１＞ｄとなっている。ｄは基板１１の直径Ｄ２の略１／３の大きさとすることができる。図７に示すように、筒状の起立部１２は、下側厚さＺ２に対して上側厚さＺ１は小さく、Ｚ１はＺ２に対して１／３から１／２の厚さである。
【００３８】
また、下側厚さＺ２の部分の高さ方向の範囲ｈ２は、起立部１２の高さＨの１／２から１／４であり、上側厚さＺ１の部分の高さ方向の範囲ｈ１は、その残部となる。さらに、基板１１の上面で起立部１２の下部の境界には凹部１５が円環状に設けられている。凹部１５の深さＳ２は、例えば０．５ｍｍ〜２ｍｍとすることができるが、１ｍｍ位が好ましい。凹部１５を形成することにより、基板１１に対して起立部１２を、あるいは起立部１２に対して基板１１を変形しやすくすることができる。これにより、起立部１２を装着孔６に装着することが容易になると共に、プレイ時にクラブが起立部１２に当たっても、変形により力を逃がしやすくなるので、起立部１２が損傷しにくくなる。
【００３９】
起立部１２の上部には、図３〜図５に示すように、略Ｖ字状のスリット１３−１、１３−２、１３−３が円周方向に等間隔に設けられる。このスリット１３−１、１３−２、１３−３は、スリットであれば形状は問わないが、Ｖ字状またはＵ字状の形状であることが好ましい。スリット１３−１、１３−２、１３−３の起立部１２の上端での幅ｂは、図７に示される上側厚さＺ１の１．５倍から４倍の大きさとされ、スリット１３−１、１３−２、１３−３の上端からの深さｈ３は、上側厚さＺ１の部分の高さ方向の範囲ｈ１の１／２から３／４としている。
【００４０】
このようにスリット１３−１、１３−２、１３−３が形成されているので、打球時に起立部１２に加わる力を分散させ逃がすことができ、ボールスタンドの寿命を延ばすことができる。なお、上側厚さＺ１が小さいことにより、起立部１２の上部が容易に変形し力を逃がすので、ボールスタンドの寿命を更に延ばす効果がある。
【００４１】
更に、スリットが３つあることにより、スリットが１つや２つの時よりも起立部１２に加わる力を分散させ、逃がす効果が高くなり、スリットが４つ以上よりも起立部１２の強度を保つことができる。
【００４２】
また、スリット１３−１、１３−２、１３−３の下側のＶ字状の先端は丸味を持つようにＲを付けることが好ましいが、平坦でも良い。しかしながら、スリット１３−１、１３−２、１３−３の下側の先端が尖っているのは好ましくない。応力が集中して、そこから裂ける可能性が高くなるからである。Ｒの大きさは上側厚さＺ１の１／２からＺ１の範囲とすることができ、これにより起立部１２の損傷を軽減すると共に、ボール３の設置を安定することができる。
【００４３】
ボールスタンド２の起立部１２が下部から上部へ向かって広がっていることにより、ボールスタンド２をスタートマット１に嵌着した後は抜けにくいドッキング構造となっている。また、起立部１２の下側厚さＺ２に対して上側厚さＺ１が小さくなっていること、起立部１２の上端にスリット１３−１、１３−２、１３−３を設けたことにより、起立部１２の上部は柔軟な構造となっている。
【００４４】
したがって、起立部１２が下部から上部へ向かって広がる構造としたにも係らず、スタートマット１に簡単に取り付けが可能となる。つまり、ボールスタンド２をスタートマット１へ挿入するときに、起立部１２の上部を大きく変形することができるので、挿入が極めて容易となる。
【００４５】
ボールスタンド２を上下に２分割した金型で一体成型し、成型品を取り出す場合、起立部１２が下部から上部へ向かって広がっていることで通常は金型を上下に抜くことが困難となり、金型を複雑にする必要がある。しかし、起立部１２の上部を大きく変形することができるようにスリット１３−１、１３−２、１３−３を設けたことにより柔軟な構造となっているので、金型を上下に抜くだけで、容易にボールスタンド２として成型品を取り出すことが可能となる。
【００４６】
また、基板１１の上面で起立部１２の下部の境界には凹部１５が円環状に設けられているので、境界に成型時に生じる形状誤差、異物等があったとしてもボールスタンド２をスタートマット１へ確実に嵌め込むことができる。
【００４７】
さらに、起立部１２の下側厚さＺ２は、上側厚さＺ１よりも厚くなっていることより、ボールスタンド２をスタートマット１へ挿入した後は、ボールスタンド２はスタートマット１の装着孔６又は装着孔９へしっかりと嵌め込まれる。そして、プレーヤーがボール３をクラブで打つときの衝撃等によるボールスタンド２の変形を抑え、耐久性・安定性を向上できる。
【００４８】
更に、スタートマット１にボールスタンド２を取り付けた状態で、プレーヤーがスタートマット１を持ち運ぶときのスタートマット１からのボールスタンド２の落下を防ぐことがより確実に行われる。また、使用回数が増えたことで損傷が進行したボールスタンド２であっても、スタートマット１から抜け落ちることを無くすことができる。
【００４９】
ボールスタンド２は、天然ゴムにＥＰＤＭ（エチレンプロピレンジエンゴム）やＥＰＭ（エチレンプロピレンゴム）をブレンドした材料で作ることが望ましく、エチレンとプロピレンの共重合によって得られる合成ゴムの一種であるエチレンプロピレンゴム (Ethylene Propylene Rubber：ＥＰＭ)が、特に耐オゾン性、耐紫外線性に優れる点で適している。また、硫黄化合物による加硫を可能にするため、少量のジエンモノマーを共重合したＥＰＤＭでも良い。
【００５０】
いずれも耐候性、耐水性に優れ、発色性がよく人畜無害とされるので、広場や公園等で競技するグラウンド・ゴルフに適している。なお、本考案によるボールスタンド２であれば、パークゴルフでボールを乗せる台であるティとして用いることにも適している。
【００５１】
また、スタートマット１の前方に補助具として、打つ方向の前方に広がる平面を有する適宜の形状に作られた補助シート（図示せず）を取り付ける場合がある。そして、その場合においても、本考案によるボールスタンド２の起立部１２を補助シートに挿入することが容易であり、しっかりと嵌め込むことができる。補助シートは、合成ゴム材料、発泡プラスチック材料や軟質プラスチック材料等の有弾性材料で耐久性を有する適宜の厚さのものを用いれば良い。
【００５２】
以上、プレーヤーがホールポストを移動するときにボールスタンド２をスタートマット１に嵌着した状態で持ち運んだとしてもボールスタンド２の先端が外に少し開いている形状をしているので、ボールスタンド２がスタートマット１から抜け落ちることがない。また、ボールスタンド２がクラブで削れて損傷しても僅かな損傷のうちはスタートマット１からボールスタンド２が抜け落ちることがない。
【００５３】
ゲームが進行してボールスタンド２の損傷が大きくなった場合は交換時期となるが、その場合でも新たなボールスタンド２をスタートマット１の裏面側から起立部１２を装着孔６又は９に挿入して簡単に取り付けることができる。そして、傷みやすいボールスタンド２が損傷した場合は交換すればよく経済的で、着脱も簡単であるから持ち運びも便利である。
【００５４】
なお、パークゴルフにおいても、本考案によるボールスタンド２であれば、
スリット１３−１、１３−２、１３−３を設けたこと、ボールスタンド２の先端が外に少し開いている形状をしていること、よりボールを安定して設置することができる。また、筒状の起立部１２の下側厚さが上側厚さよりも厚くなっていることより、衝撃等によるボールスタンド２の変形を抑え、耐久性・安定性を向上したティとして用いることにも適している。
【符号の説明】
【００５５】
１    スタートマット
２    ボールスタンド
３    ボール
４    プレート
５、７    表示部
６、９    装着孔
８    保持孔
１０    矢印
１１    基板
１２    起立部
１３−１、１３−２、１３−３    スリット
１４−１、１４−２、１４−３    扇状の凹部
１５    凹部
ｄ    起立部の下部の直径
Ｄ１    起立部の上部の直径
Ｄ２    基板の直径
Ｄ３    装着孔の内径
Ｓ１    扇状の凹部の深さ
Ｓ２    凹部の深さ
Ｚ１    起立部の上側厚さ
Ｚ２    起立部の下側厚さ
ｈ１    厚みがＺ１の部分の高さ方向の範囲
ｈ２    厚みがＺ２の部分の高さ方向の範囲
ｈ３    スリットの上端からの深さ
ｂ    スリットの起立部上端での幅
【図１】
0003211952.tif 000003
【図２】
0003211952.tif 000004
【図３】
0003211952.tif 000005
【図４】
0003211952.tif 000006
【図５】
0003211952.tif 000007
【図６】
0003211952.tif 000008
【図７】
0003211952.tif 000009
【図８】
0003211952.tif 000010